(57)【特許請求の範囲】
【請求項１】
電源線を介して電源の両端に接続され、火災を検知した場合に前記電源線に第１電流を流し、前記火災を検知し且つガスを検知した場合に前記電源線に前記第１電流を含む第２電流を流すガス火災感知器と、
警報を発生する警報発生手段と、
前記電源線に流れる前記第１電流又は前記第２電流に応じて前記警報発生手段で発生される警報を段階的に変える警報制御手段と、
を備え、
前記ガス火災感知器は、火災を検知する火災センサと、第１抵抗及び第１スイッチを有し前記電源線に並列接続された第１直列回路と、前記火災センサの火災検知量が第１所定量を超えた場合に火災検知信号を出力して前記第１スイッチをオンさせて前記電源線に前記第１電流を流す火災判定回路と、ガスを検知するガスセンサと、前記ガスセンサのガス検知量が第２所定量を超えた場合にガス検知信号を出力するガス判定回路と、第２抵抗及び第２スイッチを有し前記電源線に並列接続された第２直列回路と、前記火災判定回路からの火災検知信号と前記ガス判定回路からのガス検知信号とが共に入力されたとき信号を出力するアンド回路と、前記アンド回路からの信号により前記第２スイッチをオンさせて前記電源線に前記第２電流を流す第２スイッチ制御手段とを備えることを特徴とする火災警報装置。
【請求項２】
前記警報制御手段は、前記電源線に流れる電流値が前記第１電流値よりも小さい第１判定値を超えた場合に前記警報発生手段に第１段階警報を発生させ、前記電源線に流れる電流値が前記第１電流値と前記第２電流値との間の第２判定値を超えた場合に前記警報発生手段に第２段階警報を発生させることを特徴とする請求項１に記載の火災警報装置。
【請求項３】
電源線を介して電源の両端に接続されたガス火災感知器であって、
火災を検知する火災センサと、
第１抵抗及び第１スイッチを有し前記電源線に並列接続された第１直列回路と、前記火災センサの火災検知量が第１所定量を超えた場合に火災検知信号を出力して前記第１スイッチをオンさせて前記電源線に前記第１電流を流す火災判定回路と、
ガスを検知するガスセンサと、
前記ガスセンサのガス検知量が第２所定量を超えた場合にガス検知信号を出力するガス判定回路と、
第２抵抗及び第２スイッチを有し前記電源線に並列接続された第２直列回路と、前記火災判定回路からの火災検知信号と前記ガス判定回路からのガス検知信号とが共に入力されたとき信号を出力するアンド回路と、
前記アンド回路からの信号により前記第２スイッチをオンさせて前記電源線に前記第２電流を流す第２スイッチ制御手段と、
を備えることを特徴とするガス火災感知器。
【発明の詳細な説明】
【０００１】
【発明の属する技術分野】
本発明は、火災を検知して警報を発生する火災警報装置及びガス火災感知器に関する。
【０００２】
【従来の技術】
従来、火災を検知して警報を発生する火災警報装置としては、例えば自動火災報知設備が知られている。この自動火災報知設備は、受信機、感知器、中継器、発信機、地区音響装置、表示灯、終端器、及びこれらを接続する配線により構成されるもので、感知器あるいは中継器から固有の信号に変換された火災信号を共通の電路を介して受信機に送信し、火災の発生を知らせるものである。
【０００３】
図８に従来の自動火災報知設備の主要な構成図を示す。図８において、終端抵抗Ｒ０と複数の火災感知器１０１（第１火災感知器１０１ａ，第２火災感知器１０１ｂ・・・）とを、共通の電路である電源線１０５に接続し、この電源線１０５は、受信機１１０に設けられた電流計１１１の一端と電源Ｅの負極側とに接続されている。
【０００４】
第１火災感知器１０１ａは、火災を検知しその火災検知量が所定量を超えた場合に抵抗Ｒａに直列に接続されたスイッチ１０３ａをオンさせる。第２火災感知器１０１ｂやその他の火災感知器も、第１火災感知器１０１ａと同様に構成されている。
【０００５】
受信機１１０は、電源Ｅ、電流計１１１、警報判定回路１１３、警報回路１１５を備えて構成されている。受信機１１０では、電流計１１１が電源線１０５に流れる電流を測定する。ここで、電源線１０５に流れる電流は、待機時には、終端抵抗Ｒ０にのみ流れ、その電流値はｉ１＝Ｅ／Ｒ０である。また、火災発生時には、例えば第１火災感知器１０１ａのスイッチ１０３ａがオンし、抵抗Ｒａに電流が流れるため、電源線１０５に流れる電流値は、ｉ２＝Ｅ／Ｒ０＋Ｅ／Ｒａとなる。なお、Ｒａ＝Ｒｂ＝Ｒとする。
【０００６】
警報判定回路１１３は、電流値ｉ１と電流値ｉ２との間の電流値を判定値として設定しておく。そして、警報判定回路１１３は、電流計１１１で測定された電流値が前記判定値を超えたかどうかを判定し、電流計１１１で測定された電流値が前記判定値を超えた場合には警報回路１１５を作動させて、警報回路１１５が火災警報を発生する。また、警報信号を外部装置へ出力して、外部の人に火災発生を知らせる。
【０００７】
【発明が解決しようとする課題】
しかしながら、従来の火災警報装置にあっては、１つの判定値を用いて火災警報を判定しているため、１つの火災感知器が火災を検知しても、２つ以上の火災感知器が火災を検知しても警報の度合いや仕方が変わらない。すなわち、警報の重み付けがされていないため、火災警報の信頼性が低かった。また、１つの火災感知器による火災検知では、誤報の可能性がある。
【０００８】
さらに、火災警報装置は火災のみを検知しているが、火災発生時には、例えば一酸化炭素ガスが発生する。このため、火災発生時には、火災を検知するとともにガスを検知して、より信頼性の高い火災警報を発生させることが要望されていた。
【０００９】
本発明は、このような問題を解消するためになされたものであり、火災警報の信頼性を向上することができる火災警報装置及びガス火災感知器を提供することを課題とする。
【００１０】
【課題を解決するための手段】
上記課題を達成するために、請求項１に記載の発明の火災警報装置は、電源線を介して電源の両端に接続され、火災を検知した場合に前記電源線に第１電流を流し、前記火災を検知し且つガスを検知した場合に前記電源線に前記第１電流を含む第２電流を流すガス火災感知器と、警報を発生する警報発生手段と、前記電源線に流れる前記第１電流又は前記第２電流に応じて前記警報発生手段で発生される警報を段階的に変える警報制御手段と、前記警報制御手段により段階的に変えられた警報に応じて点滅の周期を変えて表示する表示部とを備え、前記ガス火災感知器は、火災を検知する火災センサと、第１抵抗及び第１スイッチを有し前記電源線に並列接続された第１直列回路と、前記火災センサの火災検知量が第１所定量を超えた場合に火災検知信号を出力して前記第１スイッチをオンさせて前記電源線に前記第１電流を流す火災判定回路と、ガスを検知するガスセンサと、前記ガスセンサのガス検知量が第２所定量を超えた場合にガス検知信号を出力するガス判定回路と、第２抵抗及び第２スイッチを有し前記電源線に並列接続された第２直列回路と、前記火災判定回路からの火災検知信号と前記ガス判定回路からのガス検知信号とが共に入力されたとき信号を出力するアンド回路と、前記アンド回路からの信号により前記第２スイッチをオンさせて前記電源線に前記第２電流を流す第２スイッチ制御手段とを備えることを特徴とする。
【００１１】
請求項１に記載の発明によれば、火災を検知した場合に電源線に第１電流が流れ、火災を検知し且つガスを検知した場合に電源線に第１電流を含む第２電流が流れ、電源線に流れる第１電流又は第２電流に応じて警報が段階的に変わるので、火災警報の信頼性を向上することができる。
【００１２】
また、請求項２に記載の発明は、請求項１に記載の発明において、前記警報制御手段は、前記電源線に流れる電流値が前記第１電流値よりも小さい第１判定値を超えた場合に前記警報発生手段に第１段階警報を発生させ、前記電源線に流れる電流値が前記第１電流値と前記第２電流値との間の第２判定値を超えた場合に前記警報発生手段に第２段階警報を発生させることを特徴とする。
【００１３】
請求項２に記載の発明によれば、電源線に流れる電流値が第１電流値よりも小さい第１判定値を超えた場合に第１段階警報が発生され、電源線に流れる電流値が第１電流値と第２電流値との間の第２判定値を超えた場合に第２段階警報が発生されるので、火災警報の信頼性を向上することができる。
【００２０】
請求項３に記載の発明のガス火災感知器は、電源線を介して電源の両端に接続されたガス火災感知器であって、火災を検知する火災センサと、第１抵抗及び第１スイッチを有し前記電源線に並列接続された第１直列回路と、前記火災センサの火災検知量が第１所定量を超えた場合に火災検知信号を出力して前記第１スイッチをオンさせて前記電源線に前記第１電流を流す火災判定回路と、ガスを検知するガスセンサと、前記ガスセンサのガス検知量が第２所定量を超えた場合にガス検知信号を出力するガス判定回路と、第２抵抗及び第２スイッチを有し前記電源線に並列接続された第２直列回路と、前記火災判定回路からの火災検知信号と前記ガス判定回路からのガス検知信号とが共に入力されたとき信号を出力するアンド回路と、前記アンド回路からの信号により前記第２スイッチをオンさせて前記電源線に前記第２電流を流す第２スイッチ制御手段とを備えることを特徴とする。
【００２１】
請求項３に記載の発明のガス火災感知器によれば、火災センサが火災を検知し、火災検知量が第１所定量を超えた場合には火災検知信号を出力して第１スイッチがオンして電源線に第１電流が流れる。また、ガスセンサがガスを検知し、ガスセンサのガス検知量が第２所定量を超えた場合にガス検知信号を出力し、火災検知信号と前記ガス判定回路からのガス検知信号とが共に入力されたときアンド回路により信号を出力し、アンド回路からの信号により第２スイッチがオンして電源線に第２電流が流れるので、第１電流又は第２電流に応じて警報を段階的に変えることができる。
【００２２】
【発明の実施の形態】
以下、本発明の実施の形態を図面を参照しながら詳細に説明する。図１は本発明の実施の形態に係る火災警報装置の構成を示すブロック図である。この火災警報装置は、終端抵抗Ｒ０、ガス火災感知器１ａ、火災感知器１ｂ，１ｃ、電源線５、この電源線５に接続され電源線５を介して火災検知信号やガス検知信号を受信する受信機１０を有して構成されている。
【００２３】
なお、ガス火災感知器は、２つ以上設けて良く、また、火災感知器は、３つ以上設けても良い。終端抵抗Ｒ０、ガス火災感知器１ａ、及び火災感知器１ｂ，１ｃは、並列接続され、これらは共通の電路である電源線５に接続されている。
【００２４】
図２は図１に示した火災警報装置に設けられたガス火災感知器の構成を示すブロック図である。ガス火災感知器１ａは、例えば光電式スポット型感知器であり、この周囲の空気が一定の濃度以上の煙を含むに至ったときに火災検知信号を発信する。このガス火災感知器１ａは、スイッチング回路１９、火災感知部２０、ガス感知部３０を有して構成されている。
【００２５】
スイッチング回路１９は、第１抵抗Ｒ１及び第１スイッチＳＷ１を有し電源線５に並列接続された第１直列回路と、第２抵抗Ｒ２及び第２スイッチＳＷ２を有し電源線５に並列接続された第２直列回路とを有している。
【００２６】
火災感知部２０は、周囲の煙を検知するもので、周囲の光を完全に遮断して煙だけを進入できるようにした円筒状の暗箱２１の一方から、発光回路２６により動作する発光素子２２の光束を一方向に照射し、その光束の散乱光を受ける方向に受光素子２３が取り付けられている。火災によって暗箱２１内に煙２５が流入すると、この煙２５に含まれる粒子が光束によって散乱反射を起こし、受光素子２３はその散乱光の一部を受けて受光量の変化を検出し、受光増幅回路２７は受光素子２３の受光変化量を増幅する。火災判定回路２８は、受光増幅回路２７で増幅された受光変化量が火災所定量を超えた場合に火災検知信号をスイッチＳＷ１に出力してスイッチＳＷ１をオンさせる。
【００２７】
ガスセンサ３１は、例えば一酸化炭素ガスの濃度を検知する。ガス判定回路３２は、ガスセンサ３１のガス検知量がガス所定量を超えた場合にガス検知信号をアンド回路３３に出力する。アンド回路３３は、火災判定回路２８からの火災検知信号とガス判定回路３２からのガス検知信号とが共に入力されたときのみ、ガス検知信号をスイッチＳＷ２に出力してスイッチＳＷ２をオンさせる。
【００２８】
図３は図１に示した火災警報装置に設けられた火災感知器の構成を示すブロック図である。図３に示す火災感知器１ｂは、本発明の火災センサに対応する火災感知部２０と、スイッチング回路１９ａとを有する。火災感知部２０の構成は図２に示したものと同一構成であるので、その説明は省略する。スイッチング回路１９ａは、第３抵抗Ｒ３及び第３スイッチＳＷ３を有し電源線５に並列接続された直列回路からなり、火災判定回路２８からの火災検知信号によりスイッチＳＷ３がオンする。火災感知器１ｃも火災感知器１ｂの構成と同一構成である。
【００２９】
また、図１に示す受信機１０は、負極側が電源線５の負極（−）に接続され正極側が電流計１１に接続された電源Ｅ、電源線５の正極（＋）に接続された電流計１１、マイクロコンピュータ１２、警報回路１５、表示部１６を有して構成されている。
【００３０】
電流計１１は、電源線５に流れる電流を測定する。ここで、電源線５に流れる電流は、待機時には、終端抵抗Ｒ０にのみ流れ、その電流値はｉ１＝Ｅ／Ｒ０である。火災発生時には、ガス火災感知器１ａのスイッチＳＷ１がオンし、抵抗Ｒ１に電流が流れるため、電源線５に流れる電流値は、ｉ２＝Ｅ／Ｒ０＋Ｅ／Ｒ１となる。また、火災発生時で且つ一酸化炭素ガスが発生した時には、ガス火災感知器１ａのスイッチＳＷ２がオンし、抵抗Ｒ２に電流が流れるため、電源線５に流れる電流値は、ｉ３＝Ｅ／Ｒ０＋Ｅ／Ｒ１＋Ｅ／Ｒ２となる。なお、Ｒ１＝Ｒ２＝Ｒ３＝Ｒ４＝Ｒとする。
【００３１】
マイクロコンピュータ１２は、受信機１０の全体を制御し、警報判定回路１３を有する。この警報判定回路１３は、本発明の警報制御手段に対応し、電流値ｉ１と電流値ｉ２との間の電流値を第１判定値Ｉｊ１とし、電流値ｉ２と電流値ｉ３との間の電流値を第２判定値Ｉｊ２として設定しておく。警報判定回路１３は、電流計１１で測定された電流値が第１判定値Ｉｊ１を超えた場合には第１段階警報を警報回路１５に発生させ、電流計１１で測定された電流値が第２判定値Ｉｊ２を超えた場合には第２段階警報を警報回路１５に発生させる。第１段階警報と第２段階警報との区別は、例えば音声による言葉を変更させることによって行う。
【００３２】
警報回路１５は、本発明の警報発生手段に対応し、スピーカや警報ブザーからなり、第１段階警報又は第２段階警報に応じた火災警報を発生する。表示部１６は、ＬＥＤ等からなり、第１段階警報又は第２段階警報に応じて例えば点滅の周期を変える。警報回路１５の警報信号は、図示しない電話回線等を介して外部装置へ出力されるようになっている。
【００３３】
次に、このように構成された実施の形態に係る火災警報装置の動作を、図４及び図５に示したフローチャートを参照しながら説明する。
【００３４】
この実施の形態では、電流判定結果に応じて、音声による言葉を変更することによって警報を発生するものとする。音声による言葉としては、第１段階警報の場合は例えば「火災の可能性があります。」、第２段階警報の場合は例えば「火災です。直ちに消防署に連絡して下さい。」というフレーズを用いることができる。なお、警報の言葉としては、上記以外に任意のフレーズを用いることもできる。
【００３５】
まず、図４に示したフローチャート及び図６を参照してガス火災感知器による火災検知の処理を説明する。警報判定回路１３は、まず第１判定値Ｉｊ１、（ｉ１＜Ｉｊ１＜ｉ２）、第２判定値Ｉｊ２（Ｉ２＜Ｉｊ２＜Ｉ３）を設定する（ステップＳ１１）。待機時には終端抵抗Ｒ０に電流Ｉ１が流れる（ステップＳ１３）。
【００３６】
次に、火災が発生すると、ガス火災感知器１ａの火災感知部２０が火災発生時における煙を検知し（ステップＳ１５のＹＥＳ）、火災判定回路２８は、煙量が所定量を超えたかどうかを判定する（ステップＳ１７）。煙量が所定量を超えた場合には火災検知信号を出力し（ステップＳ１９）、スイッチＳＷ１がオンする（ステップＳ２１）。
【００３７】
このため、電源線５には、ｉ２＝Ｅ／Ｒ０＋Ｅ／Ｒとなる電流が流れる。この電流を電流計１１で測定し（ステップＳ２３）、警報判定回路１３は、電源線５に流れる電流ｉ（＝ｉ２）が第１判定値Ｉｊ１を超えたかどうかを判定する（ステップＳ２５）。火災発生時には、電流ｉ（＝ｉ２）は、第１判定値Ｉｊ１を超えるので、火災警報回路１３は、第１段階警報を警報回路１５に発生させる（ステップＳ２７）。この第１段階警報の場合には、警報回路１５であるスピーカから、「火災の可能性があります。」という音声が放音される。また、このとき、表示部１６のＬＥＤが点滅する。
【００３８】
次に、ガスセンサ３１が一酸化炭素ガスを検知した場合には（ステップＳ３１）、ガス判定回路３２は、検知したガス量が所定量を超えたかどうかを判定する（ステップＳ３３）。ガス量が所定量を超えた場合で且つ火災検知信号がアンド回路３３に入力された場合には（ステップＳ３５）、ガス検知信号を出力し（ステップＳ３７）、スイッチＳＷ２がオンする（ステップＳ３９）。
【００３９】
このため、電源線５には、ｉ３＝Ｅ／Ｒ０＋２＊Ｅ／Ｒとなる電流が流れる。この電流を電流計１１で測定し（ステップＳ４１）、警報判定回路１３は、電源線５に流れる電流ｉ（＝ｉ３）が第２判定値Ｉｊ２を超えたかどうかを判定する（ステップＳ４３）。火災発生時で且つガス発生時には、電流ｉ（＝ｉ３）は、第２判定値Ｉｊ２を超えるので、火災警報回路１３は、第２段階警報を警報回路１５に発生させる（ステップＳ４５）。
【００４０】
この第２段階警報の場合には、警報回路１５であるスピーカから、「火災です。直ちに消防署に連絡して下さい。」という音声が放音される。また、表示部１６のＬＥＤの点滅速度が第１段階警報の場合よりも早くなる。また、警報回路１５から警報信号を、例えば電話回線等を介して外部に送信する。
【００４１】
このようにガス火災感知器１ａを用いて、火災発生時に第１段階警報を行い、火災発生時で且つ一酸化炭素ガス発生時に第２段階警報を行うので、火災警報の信頼性を向上することができる。これによって、ユーザは火災警報の重要性を知ることができる。
【００４２】
次に、図５に示したフローチャート及び図７を参照して火災感知器による火災検知の処理を説明する。警報判定回路１３は、まず第１判定値Ｉｊ１、（ｉ１＜Ｉｊ１＜ｉ２）、第２判定値Ｉｊ２（Ｉ２＜Ｉｊ２＜Ｉ３）を設定する（ステップＳ５１）。待機時には終端抵抗Ｒ０に電流Ｉ１が流れる（ステップＳ５３）。
【００４３】
次に、火災が発生すると、例えば１つの火災感知器１ｂの火災感知部２０が火災発生時における煙を検知し（ステップＳ５５のＹＥＳ）、火災判定回路２８は、煙量が所定量を超えたかどうかを判定する（ステップＳ５７）。煙量が所定量を超えた場合には火災検知信号を出力し（ステップＳ５９）、スイッチＳＷ３がオンする（ステップＳ６１）。
【００４４】
このため、電源線５には、ｉ２＝Ｅ／Ｒ０＋Ｅ／Ｒとなる電流が流れる。この電流を電流計１１で測定し（ステップＳ６３）、警報判定回路１３は、電源線５に流れる電流ｉ（＝ｉ２）が第１判定値Ｉｊ１を超えたかどうかを判定する（ステップＳ６５）。火災発生時には、電流ｉ（＝ｉ２）は、第１判定値Ｉｊ１を超えるので、火災警報回路１３は、第１段階警報を警報回路１５に発生させる（ステップＳ６７）。この第１段階警報の場合には、警報回路１５であるスピーカから、「火災の可能性があります。」という音声が放音される。また、このとき、表示部１６のＬＥＤが点滅する。
【００４５】
次に、他の１つの火災感知器１ｃが煙を検知した場合には（ステップＳ６９）、火災判定回路２８は、煙量が所定量を超えたかどうかを判定する（ステップＳ７１）。煙量が所定量を超えた場合には火災検知信号を出力し（ステップＳ７３）、スイッチＳＷ４がオンする（ステップＳ７５）。
【００４６】
このため、電源線５には、ｉ３＝Ｅ／Ｒ０＋２＊Ｅ／Ｒとなる電流が流れる。この電流を電流計１１で測定し（ステップＳ７７）、警報判定回路１３は、電源線５に流れる電流ｉ（＝ｉ３）が第２判定値Ｉｊ２を超えたかどうかを判定する（ステップＳ７９）。２つの火災感知器１ｂ，１ｃが火災を検知した場合には電流ｉ（＝ｉ３）は、第２判定値Ｉｊ２を超えるので、火災警報回路１３は、第２段階警報を警報回路１５に発生させる（ステップＳ８１）。
【００４７】
この第２段階警報の場合には、警報回路１５であるスピーカから、「火災です。直ちに消防署に連絡して下さい。」という音声が放音される。また、表示部１６のＬＥＤの点滅速度が第１段階警報の場合よりも早くなる。また、警報回路１５から警報信号を、例えば電話回線等を介して外部に送信する。
【００４８】
このように火災感知器１ｂ，１ｃを用いて、火災発生時に火災感知器１ｂが火災を検知して第１段階警報を行い、火災感知器１ｂ及び火災感知器１ｃが共に火災を感知した場合には第２段階警報を行うので、誤報の可能性がなくなり、火災警報の信頼性を向上することができる。これによって、ユーザは火災警報の重要性を知ることができる。
【００４９】
なお、本発明の火災警報装置は、前述した実施の形態の火災警報装置に限定されるものではない。実施の形態では、電源線５に終端抵抗Ｒ０を接続したが、例えばこの終端抵抗Ｒ０を取り除いても良い。この場合、待機時には電源線５には電流は流れない。ガス火災感知器１ａが火災を検知した場合には第１電流Ｉａ＝Ｅ／Ｒが流れ、火災を検知し且つガスを検知した場合には第２電流Ｉｂ＝２＊Ｅ／Ｒが流れる。そして、警報判定回路１３は、電源線５に流れる電流値が第１電流値Ｉａよりも小さい第１判定値を超えた場合に第１段階警報を発生させ、電源線５に流れる電流値が第１電流値Ｉａと第２電流値Ｉｂとの間の第２判定値を超えた場合に第２段階警報を発生させるようにしても良い。
【００５０】
また、火災感知器１ｂ又は火災感知器１ｃの一方が火災を検知した場合には第１電流Ｉａ＝Ｅ／Ｒが流れ、２つの火災感知器１ｂ，１ｃが火災を検知した場合には第２電流Ｉｂ＝２＊Ｅ／Ｒが流れる。そして、警報判定回路１３は、電源線５に流れる電流値が第１電流値Ｉａよりも小さい第１判定値を超えた場合に第１段階警報を発生させ、電源線５に流れる電流値が第１電流値Ｉａと第２電流値Ｉｂとの間の第２判定値を超えた場合に第２段階警報を発生させるようにしても良い。
【００５１】
また、実施の形態では、ガス火災感知器１ａが火災を検知し且つガスを検知した場合、あるいは、火災感知器１ｂ，１ｃが共に火災を検知した場合には、第２段階警報を発生したが、例えばガス火災感知器１ａが火災を検知し、且つ他の例えば火災感知器１ｂが火災を検知した場合には、第２段階警報を発生させても良い。
【００５２】
また、実施の形態の火災警報装置では、電流判定結果に応じて、音声による言葉を変更することによって警報を発生したが、音色及び音量を変更することによって警報を発生しても良い。音色及び音量による警報は、第１段階警報の場合は例えば「ビー」という連続音を通常の音量で鳴らし、第２段階警報の場合は例えば「ビービービー」と短い断続音を最大音量で鳴らしても良い。
【００５３】
また、実施の形態では、ガス火災感知器として、煙感知器を例示したが、これに限定されることなく熱感知器、炎感知器等を用いても良い。また、実施の形態では、光電式スポット型感知器を例示したが、これに限定されることなく、周囲の空気が一定の濃度以上の煙を含むに至ったときに火災検知信号を発信するもので一局所の煙によるイオン電流の変化により作動するイオン化式スポット型感知器、一局所の周囲の温度が一定の温度以上になったときに火災検知信号を発信するもので外観が電線状をなす定温式感知線型感知器等を用いても良い。
【００５４】
【発明の効果】
請求項１に記載の発明の火災警報装置によれば、火災を検知した場合に電源線に第１電流が流れ、火災を検知し且つガスを検知した場合に電源線に第１電流を含む第２電流が流れ、電源線に流れる第１電流又は第２電流に応じて警報が段階的に変わるので、火災警報の信頼性を向上することができる。
【００５５】
請求項２に記載の発明の火災警報装置によれば、電源線に流れる電流値が第１電流値よりも小さい第１判定値を超えた場合に第１段階警報が発生され、電源線に流れる電流値が第１電流値と第２電流値との間の第２判定値を超えた場合に第２段階警報が発生されるので、火災警報の信頼性を向上することができる。
【００５６】
請求項３に記載の発明の火災警報装置によれば、火災センサが火災を検知し、火災検知量が第１所定量を超えた場合には第１スイッチがオンして電源線に第１電流が流れる。また、ガスセンサがガスを検知し、火災検知量が第１所定量を超え且つガス検知量が第２所定量を超えた場合には第２スイッチがオンして電源線に第２電流が流れるので、第１電流又は第２電流に応じて警報を段階的に変えることができる。
【００５７】
請求項４に記載の発明の火災警報装置によれば、複数の火災感知器のそれぞれが火災を検知した場合には電源線に第１電流を流し、電源線に流れる第１電流の総和に応じて警報が段階的に変わる。例えば１つの火災感知器が火災を検知した場合と２つ以上の火災感知器が火災を検知した場合とでは警報が段階的に変わるので、火災警報の信頼性を向上することができ、誤報の可能性もなくなる。
【００５８】
請求項５に記載の発明の火災警報装置によれば、電源線に流れる電流値が第１電流値よりも小さい第１判定値を超えた場合に第１段階警報が発生され、電源線に流れる電流値が第１電流値よりも大きい第２判定値を超えた場合に第２段階警報が発生されるので、火災警報の信頼性を向上することができる。
【００５９】
請求項６に記載の発明のガス火災感知器によれば、火災センサが火災を検知し、火災検知量が第１所定量を超えた場合には第１スイッチがオンして電源線に第１電流が流れる。また、ガスセンサがガスを検知し、火災検知量が第１所定量を超え且つガス検知量が第２所定量を超えた場合には第２スイッチがオンして電源線に第２電流が流れるので、第１電流又は第２電流に応じて警報を段階的に変えることができる。
【図面の簡単な説明】
【図１】本発明の実施の形態に係る火災警報装置の構成を示すブロック図である。
【図２】図１に示した火災警報装置に設けられたガス火災感知器の構成を示すブロック図である。
【図３】図１に示した火災警報装置に設けられた火災感知器の構成を示すブロック図である。
【図４】ガス火災感知器が作動したときの火災警報装置の動作を示すフローチャートである。
【図５】複数の火災感知器が作動したときの火災警報装置の動作を示すフローチャートである。
【図６】ガス火災感知器の警報判定を示す図である。
【図７】複数の火災感知器の警報判定を示す図である。
【図８】従来の火災警報装置を構成を示すブロック図である。
【符号の説明】
１ａ  ガス火災感知器
１ｂ，１ｃ  火災感知器
５  電源線
１０  受信機
１１  電流計
１２  マイクロコンピュータ
１３  警報判定回路
１５  警報回路
１６  表示部
１９  スイッチング回路
２０  火災感知部
２１  暗箱
２２  発光素子
２３  受光素子
２４  遮光板
２５  煙
２６  発光回路
２７  受光増幅回路
２８  火災判定回路
３１  ガスセンサ
３２  ガス判定回路
３３  アンド回路
【図１】
0004789318.tif 000002
【図２】
0004789318.tif 000003
【図３】
0004789318.tif 000004
【図４】
0004789318.tif 000005
【図５】
0004789318.tif 000006
【図６】
0004789318.tif 000007
【図７】
0004789318.tif 000008
【図８】
0004789318.tif 000009